(57)【要約】【課題】  従来のディジタルカメラやカメラ付き携帯電話装置は、一つのカメラを搭載して一つの画像を撮影している。【解決手段】  本発明のディジタルカメラおよびディジタルカメラ付き携帯電話装置は、筐体の第一の表面に第一のカメラを搭載するとともに、当該筐体の第一の表面の裏側の第二の表面にも第二のカメラを搭載し、撮影するカメラを選択する手段を設けている。このことにより、カメラ付き携帯電話装置を手に持ったまま、第一のカメラで自分の顔を撮影したり、第二のカメラで自分が見ている風景を撮影したり、両者を同時に撮影することができる。また、第一のカメラと第二のカメラで撮影したそれぞれの画像を合成する手段も設けているので、両者を合成した合成写真を撮影したり、撮影後に合成したりすることができる。【選択図】  図１
2006157967.tif 000002
【特許請求の範囲】
【請求項１】
カメラモード設定手段と、カメラモード終了手段と、開閉検出手段とを有する、ディジタルカメラを搭載した折り畳み式携帯電話装置において、前記カメラモード設定手段によりカメラモードを動作させている状態で、折り畳み式携帯電話装置の筐体が閉じたことを前記開閉検出手段が検出すると、前記カメラモード終了手段でカメラモードを終了させるが、そのまま他の信号が入力されること無く、折り畳み式携帯電話装置の筐体が開いたことを検出すると、再び前記カメラモード設定手段によりカメラモードを動作させるようにしたディジタルカメラ付き折り畳み式携帯電話装置。
【発明の詳細な説明】
【技術分野】
【０００１】
本発明は、ディジタルカメラおよびディジタルカメラを搭載したディジタルカメラ付き携帯電話装置に関する。
【背景技術】
【０００２】
最近のディジタルカメラは小型化が進み、ディジタルカメラを携帯電話装置に搭載して使用者の顔を撮影したり、付近の風景を撮影したりできるようにしたものが実用化されている。なお、携帯電話装置に搭載した一つのディジタルカメラで、手前側と反対側の両方を撮影するためにカメラを回転させたり、着脱式にして向きを変えたりする方法が知られているが（例えば、特許文献１参照）、実際には、手前側か反対側かのどちらか一方だけにカメラを固定したものが多く用いられている。
【０００３】
図１６に、従来のディジタルカメラ付き携帯電話装置２００の概略断面図を示す。ディジタルカメラ付き携帯電話装置２００は、第一の筐体２１２から延びたアームの先のヒンジ２１３に第二の筐体２１４を開閉自在に支承している。そして、第二の筐体２１４には、開閉検出用の磁石２２２と、レシーバー２２４と、第二の筐体２１４を開いたときに操作者が見る液晶表示装置２０１と、液晶表示装置２０１用のバックライト２０９と、カメラ２３０を取り付けている。カメラ２３０は携帯電話装置２００の使用者（図示せず）が持った状態で顔が撮影できるように、また液晶表示装置２０１でモニター画像を確認できるように、カメラ２３０を配置している。液晶表示装置２０１はドライバー回路２４１で駆動する。液晶表示装置２０１とバックライト２０９とレシーバー２２４とカメラ２３０は、先端が分岐した制御用フレキシブル基板２１６にそれぞれ接続されており、制御用フレキシブル基板２１６の他端は第一の筐体２１２内の本体基板２１５に接続されている。
【０００４】
第一の筐体２１２には、携帯電話装置の本体基板２１５を設けている。本体基板２１５には、制御部２１８、メモリー２１９、無線部２２０の各回路やキー操作部２１７、マイク２２３、開閉検出手段２２１を実装して携帯電話装置としての無線通信機能を実現している。
図１７に、従来のディジタルカメラ付き携帯電話装置２００の概略ブロック図を示す。図１７で制御部２１８には、ドライバー回路２４１を接続して、その先に液晶表示装置２０１を接続している。ドライバー回路２４１には表示する画像情報を一時記憶するメモリー部２５１を設けている。また、制御部２１８には画像情報を記憶したメモリー２１９、全透過型の液晶表示装置である液晶表示装置２０１用のバックライト２０９、無線通信を行う無線部２２０，送話用のマイク２２３、受話用のレシーバー２２４、キー操作部２１７、開閉検出手段２２１とカメラ２３０を接続している。
【０００５】
従来のディジタルカメラ付き携帯電話装置２００のカメラ２３０で撮影する動作を説明する。携帯電話装置２００の使用者は、第一の筐体２１２を手で持ち、第二の筐体２１４を開いて、キー操作手段２１７を用いてカメラモード選択信号を入力して、制御部２１８によりカメラモードを動作させる。カメラモードになると、カメラ２３０の図示しない撮像手段により画像を撮像し、液晶表示装置２０１にモニター画像を表示する。使用者がキー操作手段２１７のテンキーに割り付けられたカメラシャッターとなるシャッターボタンを押すと、カメラ２３０で撮影した画像をメモリー２１９に記憶し、記憶した画像を液晶表示装置２０１に表示する。その後、キー操作部２１７からカメラモード終了信号が入力されるか、開閉検出手段２２１が第二の筐体２１４が閉じたことを検出すると、制御部２１８はカメラ２３０の電源を切り、カメラモードを終了する。
【０００６】
メモリー２１９に記憶した画像は、その後、キー操作手段２１７を操作することによって、読み出して液晶表示装置２０１に表示させたり、無線部２２０を用いて、他の携帯電話装置に送信したり、携帯電話装置２００と図示しないプリンターにケーブル接続して、撮影した画像を印刷することができるようにしている。
【特許文献１】特開２００１−２４５０３４号公報（第３−４頁、第１図）
【発明の開示】
【発明が解決しようとする課題】
【０００７】
従来のディジタルカメラあるいはディジタルカメラ付き携帯電話装置は、一度カメラモードにして、シャッターチャンスをねらったものの、チャンスが訪れず、次のシャッターチャンスをねらうときに、第二の筐体２１４を閉じてしまうと、開閉検出手段２２１が第二の筐体２１４が閉じたことを検出して、制御部２１８がカメラ２３０の電源を切り、カメラモードを終了してしまうので、次に第二の筐体２１４を開いたときには、カメラモードの設定作業から始めなければならず、シャッターチャンスを逃がすという問題があった。
【０００８】
本発明は、カメラモードを動作させている状態で、折り畳み式携帯電話装置の筐体を閉じるだけでカメラモードを終了させ、そのまま筐体を開くだけでカメラモードを再び動作させる機能を実現して、シャッターチャンスを逃がさないようにすることを目的としている。
【課題を解決するための手段】
【０００９】
本発明は、前記第四の課題を解決するために、ディジタルカメラを搭載した折り畳み式携帯電話装置において、カメラモード設定手段によりカメラモードを動作させている状態で、折り畳み式携帯電話装置の筐体が閉じたことを開閉検出手段が検出すると、カメラモード終了手段でカメラモードを終了させるが、そのまま他の信号が入力されること無く、折り畳み式携帯電話装置の筐体が開いたことを検出すると、再びカメラモード設定手段によりカメラモードを動作させるように構成している。
【００１０】
このことにより、カメラモードを動作させている状態で、折り畳み式携帯電話装置の筐体を閉じるだけでカメラモードを終了させ、そのまま筐体を開くだけでカメラモードを再び動作させ、シャッターチャンスを逃がさないようにしている。
【発明の効果】
【００１１】
以上説明したように、本発明によれば、カメラモードを動作させている状態で、折り畳み式携帯電話装置の筐体を閉じるだけでカメラモードを終了させ、そのまま筐体を開くだけでカメラモードを再び動作させることができるので、シャッターチャンスを逃がさず使い勝手がよいという効果がある。
【発明を実施するための最良の形態】
【００１２】
本発明のディジタルカメラ付き折り畳み式携帯電話装置は、カメラモード設定手段と、カメラモード終了手段と、開閉検出手段とを有する、ディジタルカメラを搭載した折り畳み式携帯電話装置において、カメラモード設定手段によりカメラモードを動作させている状態で、折り畳み式携帯電話装置の筐体が閉じたことを開閉検出手段が検出すると、カメラモード終了手段でカメラモードを終了させるが、そのまま他の信号が入力されること無く、折り畳み式携帯電話装置の筐体が開いたことを検出すると、再びカメラモード設定手段によりカメラモードを動作させるように構成している。
【００１３】
以下、図面とともに本発明の実施の形態を説明する。
（実施の形態１）
図１に本発明の第１の形態に係るディジタルカメラ付き携帯電話装置の概略断面図を示す。なお、図１に示す本発明のディジタルカメラ付き携帯電話装置１００の構成は、第二の筐体２１４に２つのカメラと２つの液晶表示部を設けた点が大きく異なるものの、第一の筐体２１２、第二の筐体２１４の基本構成をはじめ多くの部分は図１６を用いて説明した従来例と同じなので、同じ部分については同一番号を付して説明を省略する。
【００１４】
図１では、複数の液晶表示部を取り付けるホルダー３１０の第一の凹部３１１にバックライト９を嵌め込み、バックライト９の上方のホルダー３１０の第二の凹部３１２に第一の液晶表示部１を嵌め込んでいる。第一の液晶表示部１にドライバー回路４があり、第一の液晶表示部１の一端に接続用フレキシブル基板３を接続して、その接続用フレキシブル基板３の先に第二の液晶表示部２を接続している。第二の液晶表示装置２は第一の液晶表示部１に接続用フレキシブル基板３で継ぎ足された形になっており、いずれもドライバー回路４で駆動する。接続用フレキシブル基板３については、ホルダー３１０の第一の液晶表示部側から第二の液晶表示部側に向けてコの字型に折り曲げて、接続用フレキシブル基板３の先に接続してある第二の液晶表示部２をホルダー３１０の第三の凹部３１３に嵌め込むようにしている。なお、ホルダー３１０には第二の液晶表示部２の大きさに対応した穴部３１４が明けてあり、バックライト９の光が第二の液晶表示部２に向けて通過するようにしている。そして、第一の液晶表示部１の端部１ａと、バックライト９の端部９ａを先端の分岐した制御用フレキシブル基板２１６にそれぞれ接続している。制御用フレキシブル基板２１６は、第一の筐体２１２の本体基板２１５に接続している。このように、本発明のディジタルカメラ付き携帯電話装置１００では、第二の筐体２１４内の液晶表示装置を、バックライト９と、第一の液晶表示部１と、第一の液晶表示部１に接続用フレキシブル基板３で一体化した第二の液晶表示部２を、ホルダー３１０の第一の凹部３１１、第二の凹部３１２、第三の凹部３１３にそれぞれ嵌め込んで、一つの液晶表示ユニットとして組み立てる構造を採っている。
【００１５】
特に、第二の筐体２１４には、第一のカメラ２３、第二のカメラ２４をそれぞれ第一の液晶表示部側と第二の液晶表示部側に設けている。第一のカメラ２３と第二のカメラ２４については図示していないが、前記の先端の分岐した制御用フレキシブル基板２１６にそれぞれ接続している。
【００１６】
図２に上記本発明の第１の形態に係るディジタルカメラ付き携帯電話装置１００の概略ブロック図を示す。図２では、２つのカメラと２つの液晶表示部を設けた点が大きく異なるものの、多くの部分は先に述べた従来例と同じなので、同じ部分については同一番号を付して説明を省略する。
【００１７】
図２では、第一の液晶表示部１と第二の液晶表示部２を一つのドライバー回路４で駆動する。ドライバー回路４にはメモリー部４１の他に表示切替部４２を設けている。表示切替部４２は、制御部１８によって本体基板のメモリー１９や後述する第一のカメラ用メモリー２７、第二のカメラ用メモリー２８、あるいは合成写真用メモリー２９から読み出してメモリー部４１に記憶させた画像情報を第一の液晶表示部１に表示させるか、第二の液晶表示部２に表示させるか、それとも両方に同時に表示させるかを切り替える。なお、第一の液晶表示部１用と第二の液晶表示部２用にそれぞれのドライバー回路を設けて駆動するようにしてもよい。
【００１８】
制御部１８には、上記以外に、第一のカメラ２３と第二のカメラ２４を接続してあり、キー操作部２１７から入力される操作信号により制御部１８がカメラ撮影動作を制御する。第一のカメラ２３と第二のカメラ２４で撮影した画像情報は、第一のカメラ用メモリー２７と第二のカメラ用メモリー２８にそれぞれ記憶し、読み出し可能にしている。制御部１８は、第一のカメラ２３と第二のカメラ２４の撮影動作を制御するだけでなく、第一のカメラ用メモリー２７と第二のカメラ用メモリー２８に記憶させた画像情報を組み合わせて合成写真画像情報を作成し、合成写真用メモリー２９に記憶し、読み出し可能にしている。なお、第一のカメラ用メモリー２７、第二のカメラ用メモリー２８、および合成写真用メモリー２９は、図１に図示しなかったが、メモリー１９と同じく本体基板２１５上に設けてもよいし、第二の筐体２１４内の第一のカメラ２３や第二のカメラ２４の近くに配置してそれぞれのカメラと接続しておくことにより、画像信号が無線部２２０に影響しないように配置してもよい。メモリー１９には撮影用のフレームの他、電話帳情報も記憶するようにしており、電話帳情報として電話帳登録者の電話番号と電話帳登録者の顔写真を関連づけて記憶させている。
【００１９】
図３に、本発明の第１の形態に係るディジタルカメラ付き携帯電話装置１００の使用状態の概念図を示す。図３で、ディジタルカメラ付き携帯電話装置１００の使用者であるＡさん３０は、第一の筐体２１２を手で持ち、第二の筐体２１４を開いて、キー操作部２１７にカメラモード選択信号を入力し、カメラモードに設定する。次に第一のカメラ２３を選択し、第一のカメラ２３のある第一の液晶表示部１にモニター表示される自分の顔を見て、キー操作部２１７のキーに割り付けられるカメラシャッターとなるシャッターボタンを押して、自分の顔を撮影することができる。
【００２０】
そしてＡさん３０が、ディジタルカメラ付き携帯電話装置１００の第一の筐体２１２を手で持ったまま、キー操作部２１７を用いて、撮影するカメラとして第二のカメラ２４を選択すれば、第二のカメラ２４でとらえた遠方の山の風景が先ほど自分の顔をモニター表示していた第一の液晶表示部１にモニター表示される。Ａさん３０は、キー操作部２１７に割り付けられるカメラシャッターを押して、遠方の山の風景を撮影することができる。
このように、Ａさん３０は、自分の顔を撮影するときは、第一のカメラ２３を選択して、自分の顔を写したモニター画像を第一の液晶表示部１に表示して撮影し、遠方の景色を撮影するときは、第二のカメラ２４を選択することにより、同じ第一の液晶表示部１に表示される遠方の景色のモニター画像を見て、撮影することができる。
【００２１】
図４は、第一のカメラ２３と第二のカメラ２４を選択して、自分の顔と遠方の景色をそれぞれ撮影し、第一のカメラ用メモリー２７に記憶した自分の顔の画像３０２と、第二のカメラ用メモリー２８に記憶した景色の画像とを制御部１８により合成して合成写真として合成写真用メモリー２９に記憶した後、読み出して表示したときのディジタルカメラ付き携帯電話装置１００の外観図である。このように、遠方の景色とその景色を見ている自分の顔をそれぞれ撮影することができ、撮影後、両方の画像を合成写真として合成することができる。
【００２２】
第一のカメラ２３と第二のカメラ２４の撮影はキー操作部２１７を用いて、撮影するカメラとして一方だけ、あるいは両方を選択することができるので、先に自分の顔を撮影して、次に遠方の山の風景を撮影し、後で合成することもできるし、自分の顔と遠方の山の風景を同時に撮影して、合成写真とすることもできる。
【００２３】
このように本発明では、第二の筐体２１４の表と裏に第一のカメラ２３と第二のカメラ２４を搭載し、制御部１８に第一のカメラ２３で撮影した画像情報と第二のカメラ２４で撮影した画像情報とを合成し、合成写真用メモリー２９に記憶する機能を持たせている。
（実施の形態２）
次に、本発明の第２の形態に係るディジタルカメラ付き携帯電話装置について説明する。図５は、本発明の第２の形態に係るディジタルカメラ付き携帯電話装置１００の第一のカメラ２３を用いてＡさん３０の顔を、第二のカメラ２４を用いてＢさん３１の顔を同時に撮影しようとしている状況を示す概念図である。Ａさん３０は、ディジタルカメラ付き携帯電話装置１００の第一の筐体２１２を手で持ち、第二の筐体２１４を開けて第一のカメラ２３をＡさん３０自身の顔に向けている。そして、第二のカメラ２４をＢさん３１に向けている。このとき、ディジタルカメラ付き携帯電話装置１００は、直接的にはドライバー回路４の表示切替部４２によって第一の液晶表示部１と第二の液晶表示部２の両方に第一のカメラ２３と第二のカメラ２４でとらえている画像の全部又は一部を同時にモニター表示している。
【００２４】
図６は、第二の液晶表示部２が見えるように描いたディジタルカメラ付き携帯電話装置１００の外観図、図７は第一の液晶表示部１が見えるように描いたディジタルカメラ付き携帯電話装置１００の外観図である。図６では、第二の液晶表示部２の右半分にＡさんのモニター画像３０２が、左半分にＢさんのモニター画像３１２が表示されている。
【００２５】
図７では、第一の液晶表示部１の右半分に同じくＡさんのモニター画像３０２が、左半分にＢさんのモニター画像３１２が表示されている。このようにＡさんとＢさんの両者が合成されたモニター表示を同時に見ることで、二人並んだ写真をタイミングよく撮ることが簡単に出来るようになる。
【００２６】
ＡさんとＢさんの両者が合成されたモニター表示を見て、キー操作部２１７に割り付けられたシャッターボタンを押すと、第一のカメラ２３で撮影したＡさんの画像情報は第一のカメラ用メモリー２７に記憶され、第二のカメラ２４で撮影したＢさんの画像情報は第二のカメラ用メモリー２８に記憶され、ＡさんとＢさんの両者を合成した合成写真の画像情報は合成写真用メモリー２９に記憶される。なお、予め使用者がキー操作部２１７で設定しておくことにより、ＡさんとＢさんの両者が合成されたモニター表示を見て撮影したときの画像情報を、例えば合成写真用メモリー２９だけに記憶するようにしても良い。
（実施の形態３）
次に、本発明の第３の形態に係るディジタルカメラ付き携帯電話装置について説明する。図８と図９に、本発明の第３の形態に係るディジタルカメラ付き携帯電話装置で、一方のカメラで撮影した画像情報を所定位置の所定形状の枠内の表示領域に表示したときの外観図を示す。図８は第二の液晶表示部２が見えるように描いた外観図、図９は第一の液晶表示部１が見えるように描いた外観図である。図８と図９では、Ａさんの画像３０２が第一の表示領域３６２に、Ｂさんのモニター画像３１２がハート形の第二の表示領域３７２にはめ込まれた形で合成されている。ＡさんとＢさんの両者が合成されたモニター表示を見て、キー操作部２１７に割り付けられたシャッターボタンを押すと、第一のカメラ２３で撮影したＡさんの画像情報は第一のカメラ用メモリー２７に記憶され、第二のカメラ２４で撮影したＢさんの画像情報は第二のカメラ用メモリー２８に記憶され、ＡさんとＢさんの両者を合成した合成写真の画像情報は合成写真用メモリー２９に記憶されるのは、既に本発明の第２の形態で説明したのと同じである。
【００２７】
第二の表示領域３７２の形と位置については、図示しないが、予め写真はめ込み用フレームが何種類もメモリー２１９に記憶してあり、キー操作部２１７を用いて選択できるようにしてある。
【００２８】
上記説明した本発明に係るディジタルカメラ付き携帯電話装置のカメラで撮影するときの基本的な制御手順を図１０にフローチャートとして示す。まず、ディジタルカメラ付き携帯電話装置１００を持った使用者（撮影者）が、キー操作部２１７の電源スイッチをオンにする（ステップ１０１）。そしてキー操作部２１７でカメラモード選択信号を入力し、制御部１８でカメラモードを動作させる（ステップ１０２）。すると、第二の筐体２１４の第一の液晶表示部１に写真はめ込み用フレームを使用するか否かの問い合わせ画面が表示されるので、写真はめ込み用フレームを使用しなければ、ノー（Ｎ）を選択する（ステップ１０３）。
【００２９】
次にどのカメラで撮影するかの問い合わせ画面が同じく第一の液晶表示部１に表示されるので、第一のカメラ２３か、第二のカメラ２４か、それとも両方かを選択する（ステップ１０４）。すると選択した結果に応じて（ステップ１０５）、選択したカメラによるモニター画像が第一の液晶表示部１に表示される（ステップ１０６，ステップ１０７，ステップ１０８）。なお、必要によりキー操作部２１７を用いて、第二の液晶表示部２にモニター画像を表示するように切り替えても良い。使用者は、モニター画像を見てキー操作部２１７のテンキーボタンなどに割り付けられるシャッターボタンを押して撮影する（ステップ１０９）。撮影した画像は撮影に用いた第一のカメラ用メモリー２７、第二のカメラ用メモリー２８か合成写真用メモリー２９に記憶される（ステップ１１０）。
【００３０】
撮影を継続するのであれば（ステップ１１１）、ステップ１０３に戻る。撮影を継続しない、つまり撮影を終了するのであれば、キー操作部２１７からカメラモード終了信号を入力することにより、カメラモードを終了する（ステップ１１２）。なお、ステップ１０３で画像をはめ込む写真はめ込み用フレームを使用する場合について説明しなかったが、これについては後述する。
（実施の形態４）
次に、本発明の第４の形態に係るディジタルカメラ付き携帯電話装置を説明する。本発明の第４の形態に係るディジタルカメラ付き携帯電話装置では、カメラモードにした状態で第二の筐体２１４が閉じたという信号を開閉検出手段２２１が検出するとカメラモードを終了させるが、そのまま他の信号が入力されること無く、第二の筐体２１４が開いたという信号を検出すると、再びカメラモードに戻すように構成している。
【００３１】
図１１に本発明の第４の形態に係るディジタルカメラ付き携帯電話装置の動作フローチャートを示す。なお、図１０と同じステップには同じステップ番号を付しているが、説明を簡単にするためにステップ１０５からステップ１０８は記載していない。
【００３２】
ディジタルカメラ付き携帯電話装置１００を持った使用者（撮影者）が、キー操作部２１７の電源スイッチをオンにする（ステップ１０１）。そしてキー操作部２１７でカメラモード選択信号を入力し、制御部１８でカメラモードを動作させる（ステップ１０２）。写真はめ込み用フレームを使用しないときは（ステップ１０３）、撮影するカメラを選択する（ステップ１０４）。使用者は、モニター画像を見てキー操作部２１７のテンキーボタンなどに割り付けられるシャッターボタンを押して撮影する（ステップ１０９）。撮影した画像は撮影に用いた第一のカメラ用メモリー２７、第二のカメラ用メモリー２８か合成写真用メモリー２９に記憶される（ステップ１１０）。
【００３３】
撮影を継続するのであれば（ステップ１１１）、ステップ１０３に戻る。撮影を継続しないのであれば、キー操作部２１７からカメラモード終了信号を入力することにより（ステップ１１４）、カメラモードを終了する（ステップ１１５）。なお、ステップ１１４でカメラモード終了信号を入力する代わりに第二の筐体２１４を閉じると（ステップ１１６）、カメラモードを終了し（ステップ１１７）、そのまま他の信号が入力されること無く第二の筐体２１４が開くと（ステップ１１８）、再びカメラモードになり（ステップ１１９）、ステップ１０３に戻ることができるようにしている。
【００３４】
なお、上記のようにステップ１１９からステップ１０３に戻るのでなく、ステップ１１９からステップ１０９に戻るように制御するようにしても良い。また、図１１では、一度撮影した後に、第二の筐体２１４が閉じたことを検出したときにカメラモードを終了するようにしているが、ステップ１０２でカメラモードに設定した後に第二の筐体２１４が閉じたことを検出したときは、ステップ１１７にジャンプしてカメラモードを終了するようにしても良い。このように、一度カメラモードを動作させた後に、第二の筐体を閉じてカメラモードを終了し、第二の筐体を開けてカメラモードに戻ることにより、直ぐに撮影することができるので、シャッターチャンスを逃がさないという効果がある。
（実施の形態５）
次に、本発明の第５の形態に係るディジタルカメラ付き携帯電話装置を説明する。本発明の第５の形態に係るディジタルカメラ付き携帯電話装置では、第一のカメラ２３あるいは第二のカメラ２４で撮影する際に、メモリー１９に記憶させた写真はめ込み用フレームを読み出して、撮影した画像を空いている空のフレームに順次はめ込んでいく使い方を実現している。
【００３５】
図１２に動作フローチャートを示す。ディジタルカメラ付き携帯電話装置の使用者は、ディジタルカメラ付き携帯電話装置の電源を入れた後（ステップ２０１）、キー操作部２１７によりカメラモード選択信号を入力して、カメラモードにする（ステップ２０２）。そして、メモリー１９に記憶させた写真はめ込み用フレームを読み出して、気に入ったフレーム、例えば図１３のようなハート形の空のフレームが３つあるものを選択する（ステップ２０３）。そして、これから撮影する画像をはめ込みたい空のフレームをキー操作部２１７に入力して特定する。ここでは図１３の左上のフレームを特定したとして説明する（ステップ２０４）。そして、カメラを選択して（ステップ２０５）、第一の液晶表示部１に表示されるモニター画像を見て、キー操作部２１７に割り付けられたシャッターボタンを押して撮影する（ステップ２０６）。図１３の例では左上のハート形フレームに撮影した画像がはめ込まれた合成写真の画像情報が合成写真用メモリー２９に記憶される（ステップ２０７）。第一の液晶表示部１のモニター表示には、一つのフレームに撮影した画像が表示されているので、上記のステップ２０４からステップ２０７の手順を実行することにより、空いているフレームに次々と撮影した画像をはめ込んでいくことができる。もし、全ての空のフレームが直ぐに埋まらないときは、一度、カメラモードを終了し（ステップ２０９）、後日再び、カメラモードに設定し（ステップ２０２）、合成写真用メモリー２９から記憶済みフレームを読み出して（ステップ２０３）、ステップ２０４からステップ２０７の手順を実行することにより、空いているフレームに新たに撮影する画像をはめ込んでいくことができる。
（実施の形態６）
次に、本発明の第６の形態に係るディジタルカメラ付き携帯電話装置を説明する。本発明のディジタルカメラ付き携帯電話装置について、第１の形態から第５の形態では、折り畳み式携帯電話装置を例として説明したが、本発明は折り畳み式携帯電話装置以外の携帯電話装置に適用することができる。
図１４は、第一のカメラ２３と第二のカメラ２４を表裏に備えた第二の筐体３１４を第一の筐体３１２に対してスライドさせるように構成した、いわゆるスライドタイプのディジタルカメラ付き携帯電話装置３００に本発明を適用した例である。第一の筐体３１２に対して第二の筐体３１４は図中の矢印のように上下方向にスライドする。第二の筐体３１４の表裏に第一のカメラ２３と第二のカメラ２４を搭載したのは、既に説明した第１の形態の図１に示した構成と同じである。
【００３６】
第一の液晶表示部１とバックライト９、そして図示しないが第一のカメラ２３と第二のカメラ２４にはスライド接点３１６に接続している。第一の筐体３１２には、固定接点３１７を設け、固定接点３１７を配線３１８で本体基板２１５に接続している。スライド接点３１６はバネ性を有し、固定接点３１７に対して一定圧力で接したまま摺動自在にしている。磁石２２２と開閉検出手段２２１により、第二の筐体３１４のスライド状態を検出して、第二の筐体３１４が出ている状態で第一のカメラ２３または第二のカメラ２４で撮影した画像を第一の液晶表示部１または第二の液晶表示部２に表示するようにしている。
【００３７】
本発明に係るスライドタイプのディジタルカメラ付き携帯電話装置３００は、手で持った状態で、撮影するカメラを選択することができるので、被写体に応じて持ち替えたり、裏返したりすることなく、使用者の顔側の画像と使用者の顔と反対側の画像を選択的に撮影することができるという効果が得られる。
（実施の形態７）
次に、本発明の第７の形態に係るディジタルカメラ付き携帯電話装置を説明する。図１５は、いわゆるストレートタイプのディジタルカメラ付き携帯電話装置４００に本発明を適用した例である。筐体４１２の表裏に第一のカメラ２３と第二のカメラ２４を搭載したのは、既に説明した第１の形態の図１に示した構成と同じである。
【００３８】
本発明の第７の形態に係るストレートタイプの携帯電話装置４００でも、上述した折り畳み式携帯電話装置１００や、スライドタイプの携帯電話装置３００に本発明を適用したときと同じく、筐体の表と裏に設けてある複数のカメラについて、撮影するカメラとして一方または両方を簡単に選択できるという効果や、合成写真が容易に得られるという効果が得られる。
【００３９】
以上の説明では、実施の形態としてディジタルカメラ付き携帯電話装置を示したが、最近の携帯電話装置は無線部の電源をオフにするスイッチを付けたものも実用化されており、無線部の電源をオフにしたデイジタルカメラ付き携帯電話装置は、デイジタルカメラと実質的に同じといえるので、携帯電話装置機能を取り除いたディジタルカメラそのものに本発明を適用することができる。
【図面の簡単な説明】
【００４０】
【図１】本発明の第１の形態のディジタルカメラ付き携帯電話装置の概略断面図
【図２】本発明の第１の形態のディジタルカメラ付き携帯電話装置の概略ブロック図
【図３】本発明の第１の形態のディジタルカメラ付き携帯電話装置の使用状態を示す概念図
【図４】本発明の第１の形態のディジタルカメラ付き携帯電話装置を開いたときの外観図
【図５】本発明の第２の形態のディジタルカメラ付き携帯電話装置の使用状態を示す概念図
【図６】本発明の第２の形態のディジタルカメラ付き携帯電話装置の外観図
【図７】本発明の第２の形態のディジタルカメラ付き携帯電話装置の外観図
【図８】本発明の第３の形態のディジタルカメラ付き携帯電話装置の外観図
【図９】本発明の第３の形態のディジタルカメラ付き携帯電話装置の外観図
【図１０】本発明のディジタルカメラ付き携帯電話装置のカメラモードのフローチャート
【図１１】本発明の第４の形態のディジタルカメラ付き携帯電話装置のカメラモードのフローチャート
【図１２】本発明の第５の形態のディジタルカメラ付き携帯電話装置のカメラモードのフローチャート
【図１３】本発明の第５の形態のディジタルカメラ付き携帯電話装置の外観図
【図１４】本発明の第６の形態のディジタルカメラ付き携帯電話装置の概略断面図
【図１５】本発明の第７の形態のディジタルカメラ付き携帯電話装置の概略断面図
【図１６】従来のディジタルカメラ付き携帯電話装置の概略断面図
【図１７】従来のディジタルカメラ付き携帯電話装置の概略ブロック図
【符号の説明】
【００４１】
１  第一の液晶表示部
２  第二の液晶表示部
３  接続用フレキシブル基板
４  ドライバー回路
９  バックライト
１８  制御部
１９  メモリー
２３  第一のカメラ
２４  第二のカメラ
４１  メモリー部
４２  表示切替部
２１２  第一の筐体
２１３  ヒンジ
２１４  第二の筐体
２１５  本体基板
２１７  キー操作部
２１９  メモリー
２２０  無線部
２２１  開閉検出手段
２２３  マイク
２２４  レシーバー
３１０  ホルダー 
【図１】
2006157967.tif 000003
【図２】
2006157967.tif 000004
【図３】
2006157967.tif 000005
【図４】
2006157967.tif 000006
【図５】
2006157967.tif 000007
【図６】
2006157967.tif 000008
【図７】
2006157967.tif 000009
【図８】
2006157967.tif 000010
【図９】
2006157967.tif 000011
【図１０】
2006157967.tif 000012
【図１１】
2006157967.tif 000013
【図１２】
2006157967.tif 000014
【図１３】
2006157967.tif 000015
【図１４】
2006157967.tif 000016
【図１５】
2006157967.tif 000017
【図１６】
2006157967.tif 000018
【図１７】
2006157967.tif 000019